(57)【要約】  【課題】  予約録画開始時刻が設定されている録画対象番組の前の番組が延長されたときに、簡単な音声処理により録画対象番組の録画開始時刻を遅らせることができる機能を有するビデオレコーダを提供する。  【解決手段】  音声信号をスペクトラムアナライザ６により解析し、特定者の音声を検出する。番組終了予定前にスペクトルアナライザ６で検出された特定者の音声は判定基準音声として第１メモリ７に記憶し、番組終了予定時刻経過後にスペクトルアナライザ８で検出された音声は第２メモリ８に記憶する。比較手段９により両音声が異なると判定された場合には、前記音声と前記判定基準音声が異なった時点の時刻から番組終了予定時刻を差し引いて延長時間を延長時間算出手段１０により算出し、予約録画開始時刻を延長時間の分だけ遅らせる。【選択図】      図１
2006148714.tif 000002
【特許請求の範囲】
【請求項１】
選局した放送信号を受信して録画する録画部を備え、前記録画部への予約録画も可能な
ビデオレコーダにおいて、音声検波回路からの音声信号を入力して音声スペクトラムを解
析して特定者の音声を検出するスペクトラムアナライザと、番組終了予定前に前記スペク
トルアナライザで検出された特定者の音声を判定基準音声として記憶する第１メモリと、
番組終了予定時刻経過後に前記スペクトルアナライザで検出された音声を記憶する第２メ
モリと、前記音声と前記判定基準音声を比較して両音声が同じであるか否かを判定する比
較手段と、この比較手段による比較結果が前記音声と前記判定基準音声とが異なると判定
された場合に前記音声と前記判定基準音声が異なった時点の時刻から番組終了予定時刻を
差し引いて延長時間を算出する延長時間算出手段とを有し、前記算出された延長時間に基
づいて予約録画開始時刻を遅らせる制御を行う録画コントローラを備えたことを特徴とす
るビデオレコーダ。
【請求項２】
選局した放送信号を受信して録画する録画部を備え、前記録画部への予約録画も可能な
ビデオレコーダにおいて、番組終了予定前の特定者の音声と、番組終了予定時刻経過後の
音声とを比較し、両音声が同じであると判定された後、両音声が異なると判定された場合
に、両音声が異なった時点の時刻から番組終了予定時刻を差し引いて延長時間を算出し、
前記延長時間に基づいて予約録画開始時刻を遅らせる制御を行う録画コントローラを備え
たことを特徴とするビデオレコーダ。
【請求項３】
前記特定者の音声の検出は音声スペクトラムにより行うことを特徴とする請求項２に記
載のビデオレコーダ。
【請求項４】
前記録画コントローラは、音声検波回路からの音声信号を入力して音声スペクトラムを
解析して特定者の音声を検出するスペクトラムアナライザと、番組終了予定前に前記スペ
クトルアナライザで検出された特定者の音声を判定基準音声として記憶する第１メモリと
、番組終了予定時刻経過後に前記スペクトルアナライザで検出された音声を記憶する第２
メモリと、前記音声と前記判定基準音声を比較して両音声が同じであるか否かを判定する
比較手段と、この比較手段による比較結果が前記音声と前記判定基準音声とが異なると判
定された場合に前記音声と前記判定基準音声が異なった時点の時刻から番組終了予定時刻
を差し引いて延長時間を算出する延長時間算出手段とを有し、前記算出された延長時間に
基づいて予約録画開始時刻を遅らせる制御を行うことを特徴とする請求項２に記載のビデ
オレコーダ。
【発明の詳細な説明】
【技術分野】
【０００１】
本発明は、テレビジョン放送などの放送番組を予約録画できる機能を有するビデオレコ
ーダに関する。
【背景技術】
【０００２】
従来からビデオレコーダには、予約録画の時間処理を行うためのタイマ機能が備えられ
ている。そのタイマ機能を用いて、例えばＰＭ９時から音楽番組を録画したい場合、ＰＭ
９時に録画部が起動するように、予約録画開始時刻をＰＭ９時に設定しておく。そして、
現在時刻がＰＭ９時になり、予約録画開始時刻ＰＭ９時と現在時刻ＰＭ９時とが一致する
と、録画部が起動し、ＰＭ９時から音楽番組の録画が開始される。
【特許文献１】特開平５−４７０６９号公報
【特許文献２】特開平５−５６３６２号公報
【特許文献３】特開平６−３６３８９号公報
【特許文献４】特開平６−３０９７３３号公報
【発明の開示】
【発明が解決しようとする課題】
【０００３】
ところで、録画したい番組の前に、野球実況中継などのスポーツ番組があった場合、こ
のスポーツ番組の終了時刻が予定よりも遅れることがある。このような場合、試合が終了
するまで、放送時間が延長されることがある。例えば、野球番組がＰＭ７時からＰＭ９時
までの放送時間の予定が２０分遅れ、ＰＭ９時２０分に終了したとする。ＰＭ９時から始
まる予定の音楽番組を録画したいために、予約録画開始時刻をＰＭ９時に設定していたと
すると、録画部はＰＭ９時から録画を開始し、野球放送が延長された時間分（２０分）だ
け野球放送が録画され、その後、音楽番組が録画されることになる。
【０００４】
また、音楽番組の最初の放送予定時間がＰＭ９時からＰＭ１０までであった場合、野球
番組の２０分の延長により、音楽番組がＰＭ９時２０分から始まることになるが、ＰＭ９
時からの録画時間が１時間または録画終了時刻がＰＭ１０時に設定されていると、２０分
間は野球放送が録画され、残りの４０分だけしか音楽番組が録画されないことになる。ま
た、放送開始が遅れた音楽番組を全部録画するために録画時間を延長すると、記録媒体の
残量が無くなる場合があり、録画必要時間が録画可能時間を超えてしまい、録画対象番組
を全部録画できなくなることがある。
【０００５】
そこで、特許文献１のビデオカセットレコーダでは、放送局からの延長信号を受信して
予約録画情報を書換えることにより、予約録画した番組の録画時間を変更しているが、こ
の場合、放送局側に延長信号を送信するための装置が必要となり、放送局側に設備の負担
が多くなる。
【０００６】
また、特許文献２の録画予約装置では、希望する画像を特定して記憶しておき、この特
定画像と同じ画像を抽出することにより、予約録画開始時刻を変更しているが、この場合
、全く同じ画像が出ることがないので、画像の識別がかなり難しい。
【０００７】
また、特許文献３のタイマー機能付記録再生装置では、タイマー実行開始時刻になると
、再度、放送状態信号を識別し、放送信号状態が変わっていればタイマー実行を開始させ
るが、変わっていなければ番組が延長されているものと判定し、放送信号状態が変化する
までの時間を計時し、タイマー実行開始時刻および終了時刻を修正している。前記放送信
号状態とは、例えば、現在の放送がステレオ放送、バイリンガル放送、あるいはモノラル
放送であるかの状態を示し、例えば現在の放送がステレオ放送の番組であり、このステレ
オ放送の番組が終わった後、次の番組（録画したい番組）もステレオ放送であった場合、
即ち同じ音声モードであった場合、番組が変わったことを判別できず、予約録画開始時刻
の変更ができない。
【０００８】
また、特許文献４の録画予約装置および映像内容認識装置では、映像情報から番組の放
送内容を認識し、所定時間になっても予め設定された放送内容でないときは、設定された
放送内容になるまでの時間だけ録画動作の開始および終了時刻を遅らせるようにしている
が、この場合、放送内容の認識は画像を識別することにより行われるので、画像識別のた
めの処理が複雑化し、また、全く同じ画像が出ることがないので、放送内容の認識はかな
り難しくなる。
【０００９】
本発明は、上記のような課題を解決するためになされたもので、予約録画開始時刻が設
定されている録画対象番組の前の番組が延長されたときに、簡単な音声処理により録画対
象番組の録画開始時刻を遅らせることができる機能を有するビデオレコーダを提供するこ
とを目的とする。
【課題を解決するための手段】
【００１０】
上記目的を達成するために、請求項１の発明は、選局した放送信号を受信して録画する
録画部を備え、前記録画部への予約録画も可能なビデオレコーダにおいて、音声検波回路
からの音声信号を入力して音声スペクトラムを解析して特定者の音声を検出するスペクト
ラムアナライザと、番組終了予定前に前記スペクトルアナライザで検出された特定者の音
声を判定基準音声として記憶する第１メモリと、番組終了予定時刻経過後に前記スペクト
ルアナライザで検出された音声を記憶する第２メモリと、前記音声と前記判定基準音声を
比較して両音声が同じであるか否かを判定する比較手段と、この比較手段による比較結果
が前記音声と前記判定基準音声とが異なると判定された場合に前記音声と前記判定基準音
声が異なった時点の時刻から番組終了予定時刻を差し引いて延長時間を算出する延長時間
算出手段とを有し、前記算出された延長時間に基づいて予約録画開始時刻を遅らせる制御
を行う録画コントローラを備えたことを特徴とするビデオレコーダを提供する。
【００１１】
この構成においては、放送信号に含まれる音声信号が音声検波回路により取り出され、
スペクトラムアナライザに入力され、音声スペクトラムが解析されることにより、特定者
の音声が検出される。番組終了予定前に前記スペクトルアナライザで検出された特定者の
音声は、判定基準音声として第１メモリに記憶される。番組終了予定時刻経過後に前記ス
ペクトルアナライザで検出された音声は、第２メモリに記憶される。そして、第２メモリ
に記憶された音声と第１メモリに記憶された判定基準音声とが同じであるか否かが比較手
段で判定され、両音声が異なると判定された場合には、前記音声と前記判定基準音声が異
なった時点の時刻から番組終了予定時刻を差し引いて延長時間が延長時間算出手段により
算出される。これにより、予約録画開始時刻は延長時間の分だけ遅らせることができる。
また、予約録画開始時刻が延長時間の分だけずれるので、録画時間も当初の設定時間とな
る。
【００１２】
この構成のビデオレコーダによれば、予約録画開始時刻が設定されている録画対象番組
の前の番組が延長されたときに、簡単な音声処理により録画対象番組の録画開始時刻を遅
らせることができるので、録画対象番組を正しく録画することができる。
【００１３】
請求項２の発明は、選局した放送信号を受信して録画する録画部を備え、前記録画部へ
の予約録画も可能なビデオレコーダにおいて、番組終了予定前の特定者の音声と、番組終
了予定時刻経過後の音声とを比較し、両音声が同じであると判定された後、両音声が異な
ると判定された場合に、両音声が異なった時点の時刻から番組終了予定時刻を差し引いて
延長時間を算出し、前記延長時間に基づいて予約録画開始時刻を遅らせる制御を行う録画
コントローラを備えたことを特徴とするビデオレコーダを提供する。
【００１４】
この構成においては、番組終了予定前の特定者の音声と、番組終了予定時刻経過後の音
声とが比較され、両音声が異なる場合には、前記音声と前記判定基準音声が異なった時点
の時刻から番組終了予定時刻を差し引いて延長時間が算出される。これにより、予約録画
開始時刻は延長時間の分だけ遅らせることができる。また、予約録画開始時刻が延長時間
の分だけずれるので、録画時間も当初の設定時間となる。
【００１５】
この構成のビデオレコーダによれば、予約録画開始時刻が設定されている録画対象番組
の前の番組が延長されたときに、簡単な音声処理により録画対象番組の録画開始時刻を遅
らせることができるので、録画対象番組を正しく録画することができる。
【００１６】
請求項３の発明では、特定者の音声の検出は音声スペクトラムにより行うので、特定者
の音声の認識が容易に簡単な処理で行うことが可能になる。
【００１７】
請求項４の発明では、前記録画コントローラは、音声検波回路からの音声信号を入力し
て音声スペクトラムを解析して特定者の音声を検出するスペクトラムアナライザと、番組
終了予定前に前記スペクトルアナライザで検出された特定者の音声を判定基準音声として
記憶する第１メモリと、番組終了予定時刻経過後に前記スペクトルアナライザで検出され
た音声を記憶する第２メモリと、前記音声と前記判定基準音声を比較して両音声が同じで
あるか否かを判定する比較手段と、この比較手段による比較結果が前記音声と前記判定基
準音声とが異なると判定された場合に前記音声と前記判定基準音声が異なった時点の時刻
から番組終了予定時刻を差し引いて延長時間を算出する延長時間算出手段とを有し、前記
算出された延長時間に基づいて予約録画開始時刻を遅らせる制御を行うので、予約録画開
始時刻が設定されている録画対象番組の前の番組が延長されたときに、簡単な音声処理に
より録画対象番組の録画開始時刻を遅らせる制御が可能になる。
【発明の効果】
【００１８】
以上のように本発明によれば、スペクトラムアナライザと第１メモリと第２メモリと比
較手段と延長時間算出手段とを有し、算出された延長時間に基づいて予約録画開始時刻を
遅らせる制御を行う録画コントローラを備えたので、予約録画開始時刻が設定されている
録画対象番組の前の番組が延長されたときに、簡単な音声処理により録画対象番組の録画
開始時刻を遅らせることができ、録画対象番組を正しく録画することができる。
【００１９】
また、本発明によれば、番組終了予定前の特定者の音声と番組終了予定時刻経過後の音
声とを比較し、両音声が同じであると判定された後、両音声が異なると判定された場合に
、両音声が異なった時点の時刻から番組終了予定時刻を差し引いて延長時間を算出し、前
記延長時間に基づいて予約録画開始時刻を遅らせる制御を行う録画コントローラを備えた
ので、予約録画開始時刻が設定されている録画対象番組の前の番組が延長されたときに、
簡単な音声処理により録画対象番組の録画開始時刻を遅らせることができ、録画対象番組
を正しく録画することができる。
【発明を実施するための最良の形態】
【００２０】
以下、添付図面を参照しつつ、本発明の実施の形態について説明する。図１は本発明の
一実施形態に係るビデオレコーダの構成を示すブロック図である。このビデオレコーダは
、テレビジョンの放送信号を受信するアンテナ１、このアンテナ１で受信した放送信号か
ら所望の放送信号を取り出して出力するチューナー２、このチューナー２からの放送信号
に含まれる映像信号を取り出して出力する映像検波回路３、同じくチューナー２からの放
送信号に含まれる音声信号を取り出して出力する音声検波回路４、録画に関する制御を行
う録画コントローラ５、図示しないリモートコントローラなどからの予約録画情報（予約
録画時刻および放送局チャンネルなど）を入力したり予約録画情報を表示させるために図
示しない表示装置に出力したりする予約録画情報入出力部１３、および所望の番組を録画
する録画部１４を備えている。
【００２１】
前記録画コントローラ５には、音声検波回路４からの音声信号を入力して音声スペクト
ラムを解析して特定者（例えばアナウンサや解説者など）の音声を検出するスペクトラム
アナライザ６、番組終了前にスペクトルアナライザ６で検出された特定者の音声を判定基
準音声Ａとして記憶する第１メモリ７、番組終了予定時刻経過後にスペクトルアナライザ
６で検出された音声Ｂを記憶する第２メモリ８、音声Ｂと判定基準音声Ａを比較して両音
声が同じであるか否かを判定する比較手段９、この比較手段９による比較結果が音声Ｂと
判定基準音声Ａとが異なると判定された場合に音声Ｂと判定基準音声Ａが異なった時点の
時刻から番組終了予定時刻を差し引いて延長時間を算出する延長時間算出手段１０、予約
録画情報入出力部１３からの予約録画情報を記録する予約録画情報用メモリ１１、現在時
刻を発生する計時手段１５、これらの構成要素を制御して予約録画に関する制御を行う予
約録画制御回路１２が備えられている。
【００２２】
なお、上記構成では、第１メモリ７と第２メモリ８と予約録画情報用メモリ１１とをそ
れぞれ別々に設けたものを示したが、これらのメモリは１個のメモリチップの中の別々の
記憶領域を用いて実現しても良い。
【００２３】
次に図２に示すフローチャートを参照して本実施形態における予約録画開始時刻の変更
処理について説明する。ここでは、例えばテレビジョン放送の野球番組は試合延長がない
限りＰＭ７時からＰＭ９時までの予定で放送され、この後、録画したい音楽番組がＰＭ９
時から始まる予定になっているとして説明する。
【００２４】
野球番組を受信できるようにその放送局のチャンネルをチューナー２により設定してお
き、ＰＭ７時になってテレビジョンによる野球放送が始まると、チューナー２は、アンテ
ナ１を介して受信された放送信号の中から野球放送信号を取り出し、映像検波回路３およ
び音声信号回路４に入力する。即ち、このビデオレコーダは野球放送を受信することにな
る（ステップＳ１）。
【００２５】
野球放送を受信すると、映像検波回路３からは野球放送信号の中の映像信号が出力され
、この映像信号は所定処理をされて図示しない表示装置（テレビジョン受像機）に供給さ
れ、これにより、野球放送の映像が表示装置に表示される。一方、音声検波回路４からは
野球放送信号の中の音声信号が出力され、この音声信号は、所定処理をされて図示しない
スピーカに供給され、音声化される。
【００２６】
また、音声検波回路４からの音声信号は録画コントローラ５のスペクトラムアナライザ
６に入力される。これにより、スペクトラムアナライザ６は、その音声信号を検出し（ス
テップＳ２）、この検出した音声信号の音声スペクトラムを解析して特定者（ここでは、
アナウンサおよび解説者）の音声を検出する（ステップＳ３）。そして、予約録画制御回
路１２は、この野球番組予定終了前（予定放送時間内での野球番組が終わる前までの時間
内）に、前記特定者の音声を判定基準音声Ａとして第１メモリ７に記憶する（ステップＳ
４）。
【００２７】
また、予約録画制御回路１２は、計時手段１５からの現在時刻を得ることにより野球放
送を受信してからの時刻を監視しており、番組終了予定時刻経過後（ここではＰＭ９時を
経過後）にスペクトラムアナライザ６による音声スペクトラムの解析を周期的に行わせて
、この解析結果の音声Ｂを第２メモリ８に記憶させる（ステップＳ５）。そして、比較手
段９は、第２メモリ８に記憶された音声Ｂと、第１メモリ７に記憶された判定基準音声Ａ
とを周期的に比較して両音声が同じであるか否かを判定する（ステップＳ６）。
【００２８】
音声Ｂと判定基準音声Ａが異なる場合は、野球放送におけるアナウンサや解説者の音声
が無くなっており、この野球放送が予定通りのＰＭ９時に終わったことが分かり、録画し
たい音楽番組の予約開始時刻（ここではＰＭ９時）は変更不要となる（ステップＳ７）。
【００２９】
一方、音声Ｂと判定基準音声Ａが同じである場合は、野球放送におけるアナウンサや解
説者の音声が未だ続いており、試合延長で野球放送が延長されたことになるので、録画し
たい音楽番組の予約録画開始時刻の変更が必要となる（ステップＳ８）。そこで、更に引
き続き比較手段９は、音声Ｂと判定基準音声Ａとが異なるまで周期的に比較処理を行い（
ステップＳ９）、両音声が異なった時に、延長時間算出手段１０は、その両信号が異なっ
た時点の時刻（例えばＰＭ９時２０分）から野球放送終了予定時刻（ＰＭ９時）を差し引
いて延長時間（２０分）を算出する（ステップＳ１０）。
【００３０】
そして、予約録画制御回路１２は、前記算出された延長時間に従って音楽番組の予約録
画開始時刻を遅らせるため、予約録画情報用メモリ１１に記憶されている音楽番組の予約
録画開始時刻をＰＭ９時からＰＭ９時２０分に変更する（ステップＳ１１）。予約録画制
御回路１２は、計時手段１５からの現在時刻と、予約時間録画情報用メモリ１１に記憶さ
れたＰＭ９時２０分と比較しており、現在時刻がＰＭ９時２０分になると、録画部１４を
起動させ、音楽番組を録画する。
【００３１】
このように、この実施形態のビデオレコーダによれば、野球放送が延長された場合でも
、延長された時間分だけ音楽番組の予約録画開始時刻を遅らせることが自動的に行うこと
ができ、また、予約録画開始時刻をずらすだけであるので、録画開始時刻からの録画時間
も当初の設定時間となり、したがって、ユーザにとっては予約録画開始時刻の変更の設定
操作が不要で、使い勝ってが良いものとなる。
【００３２】
なお、上記実施形態では、放送が延長される可能性がある野球放送について説明したが
、それに限らず、サッカーやその他のスポーツ番組、その他、放送が延長される可能性の
ある番組であっても同様な効果が得られる。また、予約録画の番組として音楽番組につい
て説明したが、それに限ることはない。
【図面の簡単な説明】
【００３３】
【図１】本発明の一実施形態に係るビデオレコーダの構成を示すブロック図である。
【図２】前記実施形態における予約録画開始時刻の変更処理を説明するためのフローチャートである。
【符号の説明】
【００３４】
４    音声検波回路
５    録画コントローラ
６    スペクトラムアナライザ
７    第１メモリ
８    第２メモリ
９    比較手段
１０    延長時間算出手段
【図１】
2006148714.tif 000003
【図２】
2006148714.tif 000004